(57)【要約】【課題】フォーカス制御を良好に行い得るようにする。【解決手段】第１の調整部は、フォーカス距離を調整する。第２の調整部は、第１の調整部で調整されたフォーカス距離に対する上乗せ量を調整する。フォーカス制御部は、第１の調整部で調整されたフォーカス距離と第２の調整部で調整された上乗せ量とに基づいてフォーカス制御を行う。第１の調整部で調整されたフォーカス状態を第２の調整部で微調整することが可能となる。例えば、フォーカス制御部は、第１の調整部で調整されたフォーカス距離の変化量に応じて、第２の調整部で調整された上乗せ量の絶対値を減じて用いる。【選択図】図１
2015135448.tif 000002
【特許請求の範囲】
【請求項１】
フォーカス距離を調整する第１の調整部と、
上記第１の調整部で調整されたフォーカス距離に対する上乗せ量を調整する第２の調整部と、
上記第１の調整部で調整されたフォーカス距離と上記第２の調整部で調整された上乗せ量とに基づいてフォーカス制御を行うフォーカス制御部を備える
フォーカス制御装置。
【請求項２】
上記フォーカス制御部は、
上記第１の調整部で調整されたフォーカス距離の変化量に応じて、上記第２の調整部で調整された上乗せ量の絶対値を減じて用いる
請求項１に記載のフォーカス制御装置。
【請求項３】
上記フォーカス制御部で用いられる上記上乗せ量の状態をビューファインダに表示する表示制御部をさらに備える
請求項１に記載のフォーカス制御装置。
【請求項４】
上記第１の調整部は、レンズ装置に接続されるフォーカスデマンドであり、
上記第２の調整部は、カメラコントロールユニットに接続されるフォローフォーカスコントローラである
請求項１に記載のフォーカス制御装置。
【請求項５】
上記フォローフォーカスコントローラによる上記上乗せ量の調整対象の画面領域を、上記カメラコントロールユニットから送られてくる画面領域情報に基づいてビューファインダに表示する表示制御部をさらに備える
請求項４に記載のフォーカス制御装置。
【請求項６】
上記カメラコントロールユニットはカットアウト機能を有し、
上記上乗せ量の調整対象の画面領域はカットアウト領域である
請求項５に記載のフォーカス制御装置。
【請求項７】
フォーカス距離を調整する第１の調整ステップと、
上記第１の調整ステップで調整されたフォーカス距離に対する上乗せ量を調整する第２の調整ステップと、
フォーカス制御部により、上記第１の調整ステップで調整されたフォーカス距離と上記第２の調整ステップで調整された上乗せ量とに基づいてフォーカス制御を行うフォーカス制御ステップを有する
フォーカス制御方法。
【請求項８】
第１の調整部で調整されるフォーカス距離と第２の調整部で調整される上記第１の調整部で調整されたフォーカス距離に対する上乗せ量とからフォーカスの調整値を生成するフォーカス調整値生成部と、
上記フォーカス調整値生成部で生成されたフォーカス調整値に基づいてフォーカス制御を行うフォーカス制御部を備える
カメラ装置。
【請求項９】
上記フォーカス調整値生成部は、
上記第１の調整部で調整されたフォーカス距離の変化量に応じて、上記第２の調整部で調整された上乗せ量の絶対値を減じて用いる
請求項８に記載のカメラ装置。
【請求項１０】
上記フォーカス調整値生成部で生成されるフォーカス調整値における上記上乗せ量の状態をビューファインダに表示する表示制御部をさらに備える
請求項９に記載のカメラ装置。
【請求項１１】
上記第１の調整部は、レンズ装置に接続されるフォーカスデマンドであり、
上記第２の調整部は、カメラコントロールユニットに接続されるフォローフォーカスコントローラである
請求項９に記載のカメラ装置。
【請求項１２】
上記フォローフォーカスコントローラにおける上記上乗せ量の調整対象の画面領域を上記カメラコントロールユニットから送られてくる画面領域情報に基づいてビューファインダに表示する表示制御部をさらに備える
請求項９に記載のカメラ装置。
【請求項１３】
第１の調整部で調整されるフォーカス距離と第２の調整部で調整される上記第１の調整部で調整されたフォーカス距離に対する上乗せ量とからフォーカスの調整値を生成するフォーカス調整値生成ステップと、
フォーカス制御部により、上記フォーカス調整値生成ステップで生成されたフォーカス調整値に基づいてフォーカス制御を行うフォーカス制御ステップを有する
カメラ装置におけるフォーカス制御方法。
【発明の詳細な説明】
【技術分野】
【０００１】
本技術は、フォーカス制御装置、フォーカス制御方法、カメラ装置およびカメラ装置におけるフォーカス制御方法に関し、詳しくは、例えばフォーカスデマンドなどを用いてフォーカス距離を調整するフォーカス制御装置などに関する。
【背景技術】
【０００２】
シネマ系のカメラ運用では、カメラワークを行うカメラマンの他に、専任のフォーカスマンが、フォーカス調整を行う運用が主流にある。この仕組みを、フォローフォーカスと言う。ライブ等の放送用途の運用では、カメラフレームワークを行うカメラマンが、基本的なフォーカス作業を同時に行う必要が有る。
【０００３】
従来、４Ｋなどの高精細カメラが知られている（例えば、特許文献１参照）。撮像画像が高精細になるにつれ、フォーカス距離合わせの精度に対する要求が、大変シビアになってきている。カメラマンは、ビューファインダの映像をもとに操作を行うが、画面サイズが限られるため、カメラフレームワークをしつつ、細部のフォーカスを合わせこむことが、困難になってきている。
【０００４】
また、２/３インチサイズ画像センサー用のレンズに比べて、３５ｍｍサイズ画像センサー用レンズなどの場合、被写界深度が浅くなる傾向にあるので、幅広い対象物にフォーカスを合わせることができなくなってくる。つまり、画面内で、フォーカスが合っている処と、合っていない処ができてしまう。      画面内の、どこにフォーカスポイントを合わせるのか、カメラマンの意思と、ディレクタの思惑がずれると、必要な対象物にフォーカスが合わせられないことになる。
【先行技術文献】
【特許文献】
【０００５】
【特許文献１】特開２０１２−２４４４１１号公報
【発明の概要】
【発明が解決しようとする課題】
【０００６】
本技術は、フォーカス制御を良好に行い得るようにすることにある。
【課題を解決するための手段】
【０００７】
本技術の概念は、
フォーカス距離を調整する第１の調整部と、
上記第１の調整部で調整されたフォーカス距離に対する上乗せ量を調整する第２の調整部と、
上記第１の調整部で調整されたフォーカス距離と上記第２の調整部で調整された上乗せ量とに基づいてフォーカス制御を行うフォーカス制御部を備える
フォーカス制御装置にある。
【０００８】
本技術において、第１の調整部により、フォーカス距離が調整される。第２の調整部により、第１の調整部で調整されたフォーカス距離に対する上乗せ量が調整される。そして、フォーカス制御部により、第１の調整部で調整されたフォーカス距離と第２の調整部で調整された上乗せ量とに基づいてフォーカス制御が行われる。
【０００９】
このように本技術においては、第１の調整部で調整されたフォーカス距離と第２の調整部で調整された上乗せ量とに基づいてフォーカス制御が行われるものであり、第１の調整部で調整されたフォーカス状態を第２の調整部で微調整することが可能となる。
【００１０】
なお、本技術において、例えば、フォーカス制御部は、第１の調整部で調整されたフォーカス距離の変化量に応じて、第２の調整部で調整された上乗せ量の絶対値を減じて用いる、ようにされてもよい。この場合、撮像状況が変わって第１の調整部で調整されるフォーカス距離が大きく変化するとき、第２の調整部で調整された上乗せ量の絶対値が自動的に減じられることから、上乗せ量の影響を自動的に軽減することが可能となる。
【００１１】
また、本技術において、例えば、フォーカス制御部で用いられる上乗せ量の状態をビューファインダに表示する表示制御部をさらに備える、ようにされてもよい。この場合、カメラマンは、現在の上乗せ量の状態がいかなる状態にあるかを容易に把握することが可能となる。
【００１２】
また、本技術において、例えば、第１の調整部は、レンズ装置に接続されるフォーカスデマンドであり、第２の調整部は、カメラコントロールユニットに接続されるフォローフォーカスコントローラである、ようにされてもよい。この場合、カメラマンがフォーカスデマンドで調整するフォーカス距離を、ディレクタがフォローフォーカスコントローラで微調整することが可能となる。
【００１３】
この場合、例えば、フォローフォーカスコントローラによる上乗せ量の調整対象の画面領域を、カメラコントロールユニットから送られてくる画面領域情報に基づいてビューファインダに表示する表示制御部をさらに備える、ようにされてもよい。例えば、カメラコントロールユニットはカットアウト機能を有し、上乗せ量の調整対象の画面領域はカットアウト領域である、ようにされてもよい。これにより、カメラマンは、上乗せ量の調整対象の画面領域を容易に把握することが可能となる。
【００１４】
また、本技術の他の概念は、
第１の調整部で調整されるフォーカス距離と第２の調整部で調整される上記第１の調整部で調整されたフォーカス距離に対する上乗せ量とからフォーカスの調整値を生成するフォーカス調整値生成部と、
上記フォーカス調整値生成部で生成されたフォーカス調整値に基づいてフォーカス制御を行うフォーカス制御部を備える
カメラ装置にある。
【００１５】
本技術において、第１の調整部で調整されるフォーカス距離と第２の調整部で調整される上記第１の調整部で調整されたフォーカス距離に対する上乗せ量とからフォーカスの調整値が生成される。例えば、第１の調整部は、レンズ装置に接続されるフォーカスデマンドであり、第２の調整部は、カメラコントロールユニットに接続されるフォローフォーカスコントローラである、ようにされてもよい。フォーカス制御部により、フォーカス調整値生成部で生成されたフォーカス調整値に基づいてフォーカス制御が行われる。
【００１６】
このように本技術においては、第１の調整部で調整されたフォーカス距離と第２の調整部で調整された上乗せ量とに基づいてフォーカス制御が行われるものであり、第１の調整部で調整されたフォーカス状態を第２の調整部で微調整することが可能となる。
【００１７】
なお、本技術において、例えば、フォーカス調整値生成部は、第１の調整部で調整されたフォーカス距離の変化量に応じて、第２の調整部で調整された上乗せ量の絶対値を減じて用いる、ようにされてもよい。この場合、撮像状況が変わって第１の調整部で調整されるフォーカス距離が大きく変化するとき、第２の調整部で調整された上乗せ量の絶対値が自動的に減じられることから、上乗せ量の影響を自動的に軽減することが可能となる。
【００１８】
また、本技術において、例えば、フォーカス調整値生成部で生成されるフォーカス調整値における上乗せ量の状態をビューファインダに表示する表示制御部をさらに備える、ようにされてもよい。この場合、カメラマンは、現在の上乗せ量の状態がいかなる状態にあるかを容易に把握することが可能となる。
【００１９】
また、本技術において、例えば、フォローフォーカスコントローラにおける上乗せ量の調整対象の画面領域をカメラコントロールユニットから送られてくる画面領域情報に基づいてビューファインダに表示する表示制御部をさらに備える、ようにされてもよい。この場合、カメラマンは、フォローフォーカスコントローラにおけるフォーカス調整位置を容易に把握することが可能となり、フォーカスを合わせる領域（エリア）をカメラマンとディレクタ側とで容易に共有可能となる。
【発明の効果】
【００２０】
本技術によれば、フォーカス制御を良好に行い得るようになる。なお、本明細書に記載された効果はあくまで例示であって限定されるものではなく、また付加的な効果があってもよい。
【図面の簡単な説明】
【００２１】
【図１】第１の実施の形態としてのカメラシステムの構成例を示すブロック図である。
【図２】カメラＣＰＵにおけるフォーカス調整値の具体的な生成例を説明するための図である。
【図３】カメラＣＰＵにおけるフォーカス調整値の具体的な生成例を説明するための図である。
【図４】第２の実施の形態としてのカメラシステムの構成例を示すブロック図である。
【発明を実施するための形態】
【００２２】
以下、発明を実施するための形態（以下、「実施の形態」とする）について説明する。なお、説明を以下の順序で行う。
１．第１の実施の形態
２．第２の実施の形態
３．変形例
【００２３】
＜１．第１の実施の形態＞
［カメラシステムの構成例］
図１は、第１の実施の形態としてのカメラシステム１０の構成例を示している。このカメラシステム１０は、カメラ装置１００にケーブル６００を介してＣＣＵ（カメラコントロールユニット）５００が接続された構成となっている。
【００２４】
カメラ装置１００には、レンズ装置２００とビューファインダ３００とが接続されている。レンズ装置２００は、カメラ装置１００の前部のレンズマウント部に取り付けられている。レンズ装置２００は、フォーカスデマンド（フォーカスコントローラ）４００によるフォーカス調整が可能とされていると共に、ＣＣＵ５００側からのフォローフォーカスコントローラ８００によるフォーカス調整も可能とされている。
【００２５】
レンズ装置２００は、その各部の動作を制御するレンズＣＰＵ２０１を有している。レンズＣＰＵ２０１は、カメラ装置１００のカメラＣＰＵ１０１からケーブル２０２を通じて送られてくるフォーカス調整信号に基づいて、フォーカス制御を行う。この場合、カメラＣＰＵ１０１は、フォーカスデマンド４００で調整されたフォーカス距離とＣＣＵ５００側のフォローフォーカスコントローラ８００で調整された上乗せ量とから、フォーカス調整値を生成する。
【００２６】
この際、カメラＣＰＵ１０１は、フォーカスデマンド４００で調整されたフォーカス距離の変化量に応じて、フォローフォーカスコントローラ８００で調整された上乗せ量の絶対値を減じて用いる。なお、カメラＣＰＵ１０１におけるフォーカス調整値の具体的な生成例については後述する。
【００２７】
カメラ装置１００は、カメラＣＰＵ１０１と、ユーザ操作部１０２と、センサー部１０３と、カメラ信号処理部１０４と、ＶＦ信号処理部１０５を有している。カメラＣＰＵ１０１は、カメラ装置１００の各部の動作を制御する。また、このカメラＣＰＵ１０１は、レンズ装置２００のレンズＣＰＵ２０１との間、およびＣＣＵ５００のＣＰＵ５０１との間で、必要な信号の通信を行う。ユーザ操作部１０２は、カメラＣＰＵ１０１に接続されており、ユーザが種々の操作を行うためのユーザインタフェースを構成する。
【００２８】
センサー部１０３は、例えば４Ｋあるいは８Ｋなどの高精細（高解像度）のイメージセンサを持ち、被写体に対応した高精細な撮像画像信号を出力する。上述のレンズ装置２００により、イメージセンサの撮像面に、被写体が結像される。カメラ信号処理部１０４は、センサー部１０３から出力される撮像画像信号を処理し、カメラ装置１００の出力としての画像信号（カメラ映像信号）を出力する。カメラ信号処理部１０４は、例えば、利得制御、ホワイトバランス調整、ガンマ補正等の処理を行う。
【００２９】
ＶＦ信号処理部１０５は、カメラ信号処理部１０４から出力される画像信号に基づいて、ビューファインダ用の、例えばＨＤ解像度の画像信号を生成し、ビューファインダ３００に送る。ＶＦ信号処理部１０５は、カメラＣＰＵ１０１から送られてくる表示制御信号に基づいて、例えば、カメラＣＰＵ１０１で生成されるフォーカス調整値における上乗せ量の状態を示す表示３０１などのための表示信号を発生する。そして、ＶＦ信号処理部１０５は、この表示信号を、カメラ信号処理部１０４から出力される画像信号（撮像画像信号）に合成して、ビューファインダ用の画像信号を生成する。
【００３０】
例えば、上乗せ量の状態は、上乗せ量が「正の値」であるか「負の値」であるかを示すものである。図示の例では、基線（横棒）からの矢印が下方向を向いているので、「負の値」であることが示され、また、矢印の長さで上乗せ量の大きさが示されている。この場合、上乗せ量がゼロのときは、基線（横棒）のみが表示され、矢印は表示されなくなる。
【００３１】
ＣＣＵ５００は、ＣＰＵ５０１と、ユーザ操作部５０２と、ビデオ処理部５０３を有している。ＣＰＵ５０１は、ＣＣＵ５００の各部の動作を制御する。また、このＣＰＵ５０１は、カメラ装置１００のカメラＣＰＵ１０１との間で、必要な信号の通信を行う。ユーザ操作部５０２は、ＣＰＵ５０１に接続されており、ユーザが種々の操作を行うためのユーザインタフェースを構成する。
【００３２】
ビデオ処理部５０３は、カメラ装置１００からケーブル６００を通じて送られてくる、例えば４Ｋあるいは８Ｋなどの高精細な画像信号を処理し、処理後の高精細な画像信号を出力する。この高精細な画像信号の内容は、例えば、その高精細な画像信号に対応した大型モニタ５１０で確認可能とされる。
【００３３】
また、ＣＰＵ５０１には、フォローフォーカスコントローラ８００がケーブル８０１を介して接続されている。ユーザは、このフォローフォーカスコントローラ８００を操作することで、フォーカスデマンド４００で調整されたフォーカス距離に対する上乗せ量を調整できる。この場合、ユーザは、この上乗せ量を正方向にも負方向に調整可能とされる。この場合、ＣＰＵ５０１から、カメラ装置１００のカメラＣＰＵ１０１に、上乗せ量の調整信号が供給される。
【００３４】
［フォーカス調整値の具体的な生成例］
次に、カメラＣＰＵ１０１におけるフォーカス調整値の具体的な生成例を、図２、図３を参照して説明する。なお、図２、図３において、「Ｄ−ＦＰ」はフォーカスデマンド４００で調整されたフォーカス調整値（フォーカス距離）を示し、「Ｆ−ＦＰ」はフォローフォーカスコントローラ８００の調整による上乗せ量を示し、「Ｒ−ＦＰ」はカメラＣＰＵ１０１で生成されるフォーカス調整値（実際のフォーカス調整値）を示している。
【００３５】
この例は、フォーカスデマンド４００で調整されたフォーカス調整値の絶対値可変量の１/３だけ、フォローフォーカスコントローラ８００で調整された上乗せ量の絶対値を減じて用いる例を示している。なお、この例は「１/３」としているが、詳細説明は省略するが、他の比率に設定される場合も同様である。
【００３６】
図２側について生成する。図２（ａ）に示すように、最初にカメラマンがフォーカスデマンド４００で調整したフォーカス調整値「Ｄ−ＦＰ」が“５３”であったとする。このとき、カメラＣＰＵ１０１は、フォーカス調整値「Ｒ−ＦＰ」を“５３”とする。なお、ここでは、フォーカス調整値の範囲は０〜９９であると仮定する。
【００３７】
このフォーカス調整値「Ｒ−ＦＰ」である“５３”は着目被写体にピントが合った状態ではなく、図２（ｂ）に示すように、フォローフォーカスマンがフォローフォーカスコントローラ８００でフォーカスの微調整を行い、その上乗せ量「Ｆ−ＦＰ」が“＋５”であったとする。このとき、カメラＣＰＵ１０１は、フォーカスデマンド４００で調整したフォーカス調整値「Ｄ−ＦＰ」は“５３”のままであるが、“＋５”を加算して、フォーカス調整値「Ｒ−ＦＰ」を“５８”とする。
【００３８】
この状態からカメラマンがパンし、その撮像位置に合うようにフォーカスデマンド４００でフォーカス調整を行い、図２（ｃ）に示すように、そのフォーカス調整値「Ｄ−ＦＰ」が“４４”であったとする。このとき、カメラＣＰＵ１０１は、フォーカス調整値の絶対値可変量が“９”であるので、その１/３である“３”だけ上乗せ量「Ｆ−ＦＰ」の絶対値を減じ、上乗せ量「Ｆ−ＦＰ」を“＋２”として、フォーカス調整値「Ｒ−ＦＰ」を“４６”とする。従って、この場合のフォーカス調整値「Ｒ−ＦＰ」の変化量は“−１２”となる。
【００３９】
この状態から再びカメラマンがパンし、その撮像位置に合うようにフォーカスデマンド４００でフォーカス調整を行い、図２（ｄ）に示すように、そのフォーカス調整値「Ｄ−ＦＰ」が“３８”であったとする。このとき、カメラＣＰＵ１０１は、フォーカス調整値の絶対値可変量が“６”であるので、その１/３である“２”だけ上乗せ量「Ｆ−ＦＰ」の絶対値を減じ、上乗せ量「Ｆ−ＦＰ」を“０”として、フォーカス調整値「Ｒ−ＦＰ」を“３８”とする。従って、この場合のフォーカス調整値「Ｒ−ＦＰ」の変化量は“−８”となる。
【００４０】
次に、図３側について生成する。図３（ａ）に示すように、最初にカメラマンがフォーカスデマンド４００で調整したフォーカス調整値「Ｄ−ＦＰ」が“５３”であったとする。このとき、カメラＣＰＵ１０１は、フォーカス調整値「Ｒ−ＦＰ」を“５３”とする。なお、ここでは、フォーカス調整値の範囲は０〜９９であると仮定する。
【００４１】
このフォーカス調整値「Ｒ−ＦＰ」である“５３”は着目被写体にピントが合った状態ではなく、図３（ｂ）に示すように、フォローフォーカスマンがフォローフォーカスコントローラ８００でフォーカスの微調整を行い、その上乗せ量「Ｆ−ＦＰ」が“＋５”であったとする。このとき、カメラＣＰＵ１０１は、フォーカスデマンド４００で調整したフォーカス調整値「Ｄ−ＦＰ」は“５３”のままであるが、“＋５”を加算して、フォーカス調整値「Ｒ−ＦＰ」を“５８”とする。
【００４２】
この状態からカメラマンがパンし、その撮像位置に合うようにフォーカスデマンド４００でフォーカス調整を行い、図３（ｃ）に示すように、そのフォーカス調整値「Ｄ−ＦＰ」が“５９”であったとする。このとき、カメラＣＰＵ１０１は、フォーカス調整値の絶対値可変量が“６”であるので、その１/３である“２”だけ上乗せ量「Ｆ−ＦＰ」の絶対値を減じ、上乗せ量「Ｆ−ＦＰ」を“＋３”として、フォーカス調整値「Ｒ−ＦＰ」を“６２”とする。従って、この場合のフォーカス調整値「Ｒ−ＦＰ」の変化量は“＋４”となる。
【００４３】
この状態から再びカメラマンがパンし、その撮像位置に合うようにフォーカスデマンド４００でフォーカス調整を行い、図３（ｄ）に示すように、そのフォーカス調整値「Ｄ−ＦＰ」が“６８”であったとする。このとき、カメラＣＰＵ１０１は、フォーカス調整値の絶対値可変量が“９”であるので、その１/３である“３”だけ上乗せ量「Ｆ−ＦＰ」の絶対値を減じ、上乗せ量「Ｆ−ＦＰ」を“０”として、フォーカス調整値「Ｒ−ＦＰ」を“６８”とする。従って、この場合のフォーカス調整値「Ｒ−ＦＰ」の変化量は“＋６”となる。
【００４４】
なお、上述していないが、フォーカスデマンド４００で調整されるフォーカス調整値「Ｄ−ＦＰ」やフォローフォーカスコントローラ８００で調整される上乗せ量「Ｆ−ＦＰ」によっては、フォーカス調整値「Ｄ−ＦＰ」に上乗せ量「Ｆ−ＦＰ」を加算した値がフォーカス調整値の範囲である例えば０〜９９の範囲を超えることも考えられる。その場合、カメラＣＰＵ１０１は、上乗せ量「Ｆ−ＦＰ」の絶対値を減じて、実際のフォーカス調整値「Ｒ−ＦＰ」がフォーカス調整値の範囲を超えないように生成する。
【００４５】
また、上述していないが、フォローフォーカスコントローラ８００で調整される上乗せ量「Ｆ−ＦＰ」の大きさ（最大振れ幅）の設定が可能とされてもよい。この場合、上乗せ量「Ｆ−ＦＰ」に制限をかけることができ、フォローフォーカスコントローラ８００によるフォーカス調整を微調整に限定することが可能となる。
【００４６】
上述したように、図１に示すカメラシステム１０においては、フォーカスデマンド４００で調整されるフォーカス調整値とフォローフォーカスコントローラ８００で調整される上乗せ量とに基づいてフォーカス制御が行われるものである。そのため、例えば、フォーカスデマンド４００で調整されたフォーカス状態をフォローフォーカスコントローラ８００で微調整することが可能となる。
【００４７】
また、図１に示すカメラシステム１０において、カメラＣＰＵ１０１は、フォーカスデマンド４００で調整されたフォーカス距離の変化量に応じて、フォローフォーカスコントローラ８００で調整された上乗せ量の絶対値を減じて用いるものである。そのため、例えば、カメラマンがパンするなどして撮像状況が変わってフォーカスデマンド４００で調整されるフォーカス距離が大きく変化するとき、フォローフォーカスコントローラ８００で調整された上乗せ量の絶対値が自動的に減じられる。したがって、変化後の撮影状況とは関係がないあるいは関係が薄い上乗せ量の影響を自動的に軽減することが可能となる。
【００４８】
また、図１に示すカメラシステム１０において、ＶＦ信号処理部１０５は、カメラＣＰＵ１０１で生成されるフォーカス調整値における上乗せ量の状態を示す表示３０１を行う表示信号を発生し、この表示信号をカメラ信号処理部１０４から出力される画像信号（撮像画像信号）に合成して、ビューファインダ用の画像信号を生成するものである。そのため、例えば、カメラマンは、現在の上乗せ量の状態がいかなる状態にあるかを容易に把握することが可能となる。
【００４９】
＜２．第２の実施の形態＞
［カメラシステムの構成例］
図４は、第２の実施の形態としてのカメラシステム１０Ａの構成例を示している。このカメラシステム１０Ａは、カメラ装置１００Ａにケーブル６００を介してＣＣＵ（カメラコントロールユニット）５００Ａが接続された構成となっている。この図４において、図１と対応する部分には同一符号を付し、適宜、その詳細説明は省略する。
【００５０】
カメラ装置１００Ａには、レンズ装置２００とビューファインダ３００とが接続されている。カメラ装置１００Ａは、カメラＣＰＵ１０１と、ユーザ操作部１０２と、センサー部１０３と、カメラ信号処理部１０４と、ＶＦ信号処理部１０５Ａを有している。ＶＦ信号処理部１０５Ａは、カメラ信号処理部１０４から出力される画像信号に基づいて、ビューファインダ用の、例えばＨＤ解像度の画像信号を生成し、ビューファインダ３００に送る。
【００５１】
ＶＦ信号処理部１０５Ａは、カメラＣＰＵ１０１から送られてくる表示制御信号に基づいて、カメラＣＰＵ１０１で生成されるフォーカス調整値における上乗せ量の状態を示す表示３０１、ＣＣＵ５００Ａにおけるカットアウト位置（領域）を示す矩形枠表示３０２などの表示信号を発生する。この矩形枠表示３０２は、後述するように、フォローフォーカスコントローラ８００による上乗せ量の調整対象の画面領域を示すものとなる。
【００５２】
ＣＣＵ５００Ａは、ＣＰＵ５０１と、ユーザ操作部５０２と、ビデオ処理部５０３と、カットアウト処理部５０４を有している。カットアウト処理部５０４は、ビデオ処理部５０３で得られる高精細な画像信号からカットアウト位置（領域）のＨＤ解像度の画像信号を取り出して出力する。このカットアウト位置（領域）は、カットアウトコントローラ７００からケーブル７０１を通じてＣＰＵ５０１に指示される。
【００５３】
ユーザは、カットアウトコントローラ７００を操作して、カットアウト位置（領域）を任意の位置に変更することが可能である。大型モニタ５１０にはビデオ処理部５０３で得られる高精細な画像信号の内容が表示される。この画像には、カットアウト位置（領域）を示す矩形枠表示５１１が行われる。ユーザは、この矩形枠表示５１１を参照して、カットアウト位置（領域）を適宜な位置に移動できる。
【００５４】
また、ＣＰＵ５０１には、フォローフォーカスコントローラ８００がケーブル８０１を介して接続されている。ユーザは、このフォローフォーカスコントローラ８００を操作することで、フォーカスデマンド４００で調整されたフォーカス距離に対する上乗せ量を調整し、カットアウト位置（領域）のフォーカス調整（微調整）を行う。この場合、ユーザは、この上乗せ量を正方向にも負方向に調整可能とされる。この場合、ＣＰＵ５０１から、カメラ装置１００のカメラＣＰＵ１０１に、上乗せ量の調整信号が供給される。
【００５５】
詳細説明は省略するが、図４に示すカメラシステム１０Ａのその他は、図１に示すカメラシステム１０と同様に構成される。図４に示すカメラシステム１０Ａにおいては、図１に示すカメラシステム１０と同様の作用効果を得ることができる。
【００５６】
また、図４に示すカメラシステム１０Ａにおいて、ＶＦ信号処理部１０５Ａは、フォローフォーカスコントローラ８００におけるフォーカス調整位置（カットアウト位置（領域））を示す矩形枠表示３０２を行う表示信号を発生し、この表示信号をカメラ信号処理部１０４から出力される画像信号（撮像画像信号）に合成して、ビューファインダ用の画像信号を生成するものである。そのため、例えば、カメラマンは、フォローフォーカスコントローラ８００におけるフォーカス調整位置を容易に把握することが可能となる。したがって、フォーカスを合わせる領域（エリア）をカメラマンとディレクタ側とで共有できる。
【００５７】
＜３．変形例＞
なお、上述実施の形態においては、レンズ装置２００に接続されたフォーカスデマンド４００で調整されたフォーカス距離をＣＣＵ５００，５００Ａに接続されたフォローフォーカスコントローラ８００で微調整する構成を示した。しかし、本技術は、この構成に限定されるものではなく、第１の調整部で調整されたフォーカス距離を第２の調整部で微調整する構成に同様に適用できることは勿論である。
【００５８】
また、本技術は、以下のような構成を取ることもできる。
（１）フォーカス距離を調整する第１の調整部と、
上記第１の調整部で調整されたフォーカス距離に対する上乗せ量を調整する第２の調整部と、
上記第１の調整部で調整されたフォーカス距離と上記第２の調整部で調整された上乗せ量とに基づいてフォーカス制御を行うフォーカス制御部を備える
フォーカス制御装置。
（２）上記フォーカス制御部は、
上記第１の調整部で調整されたフォーカス距離の変化量に応じて、上記第２の調整部で調整された上乗せ量の絶対値を減じて用いる
前記（１）に記載のフォーカス制御装置。
（３）上記フォーカス制御部で用いられる上記上乗せ量の状態をビューファインダに表示する表示制御部をさらに備える
前記（１）または（２）に記載のフォーカス制御装置。
（４）上記第１の調整部は、レンズ装置に接続されるフォーカスデマンドであり、
上記第２の調整部は、カメラコントロールユニットに接続されるフォローフォーカスコントローラである
前記（１）から（３）のいずれかに記載のフォーカス制御装置。
（５）上記フォローフォーカスコントローラによる上記上乗せ量の調整対象の画面領域を、上記カメラコントロールユニットから送られてくる画面領域情報に基づいてビューファインダに表示する表示制御部をさらに備える
前記（４）に記載のフォーカス制御装置。
（６）上記カメラコントロールユニットはカットアウト機能を有し、
上記上乗せ量の調整対象の画面領域はカットアウト領域である
前記（５）に記載のフォーカス制御装置。
（７）フォーカス距離を調整する第１の調整ステップと、
上記第１の調整ステップで調整されたフォーカス距離に対する上乗せ量を調整する第２の調整ステップと、
フォーカス制御部により、上記第１の調整ステップで調整されたフォーカス距離と上記第２の調整ステップで調整された上乗せ量とに基づいてフォーカス制御を行うフォーカス制御ステップを有する
フォーカス制御方法。
（８）第１の調整部で調整されるフォーカス距離と第２の調整部で調整される上記第１の調整部で調整されたフォーカス距離に対する上乗せ量とからフォーカスの調整値を生成するフォーカス調整値生成部と、
上記フォーカス調整値生成部で生成されたフォーカス調整値に基づいてフォーカス制御を行うフォーカス制御部を備える
カメラ装置。
（９）上記フォーカス調整値生成部は、
上記第１の調整部で調整されたフォーカス距離の変化量に応じて、上記第２の調整部で調整された上乗せ量の絶対値を減じて用いる
前記（８）記載のカメラ装置。
（１０）上記フォーカス調整値生成部で生成されるフォーカス調整値における上記上乗せ量の状態をビューファインダに表示する表示制御部をさらに備える
前記（９）に記載のカメラ装置。
（１１）上記第１の調整部は、レンズ装置に接続されるフォーカスデマンドであり、
上記第２の調整部は、カメラコントロールユニットに接続されるフォローフォーカスコントローラである
前記（９）または（１０）に記載のカメラ装置。
（１２）上記フォローフォーカスコントローラにおける上記上乗せ量の調整対象の画面領域を上記カメラコントロールユニットから送られてくる画面領域情報に基づいてビューファインダに表示する表示制御部をさらに備える
前記（９）から（１１）に記載のカメラ装置。
（１３）第１の調整部で調整されるフォーカス距離と第２の調整部で調整される上記第１の調整部で調整されたフォーカス距離に対する上乗せ量とからフォーカスの調整値を生成するフォーカス調整値生成ステップと、
フォーカス制御部により、上記フォーカス調整値生成ステップで生成されたフォーカス調整値に基づいてフォーカス制御を行うフォーカス制御ステップを有する
カメラ装置におけるフォーカス制御方法。
【符号の説明】
【００５９】
１０，１０Ａ・・・カメラシステム
１００，１００Ａ・・・カメラ装置
１０１・・・カメラＣＰＵ
１０２・・・ユーザ操作部
１０３・・・センサー部
１０４・・・カメラ信号処理部
１０５，１０５Ａ・・・ＶＦ信号処理部
２００・・・レンズ装置
２０１・・・レンズＣＰＵ
２０２・・・ケーブル
３００・・・ビューファインダ
３０１・・・乗せ量の状態を示す表示
３０２・・・カットアウト位置（領域）を示す矩形枠表示
４００・・・フォーカスデマンド
４０１・・・ケーブル
５００，５００Ａ・・・ＣＣＵ
５０１・・・ＣＰＵ
５０２・・・ユーザ操作部
５０３・・・ビデオ処理部
５０４・・・カットアウト処理部
５１０・・・大型モニタ
６００・・・ケーブル
７００・・・カットアウトコントローラ
７０１・・・ケーブル
８００・・・フォローフォーカスコントローラ
８０１・・・ケーブル
【図２】
2015135448.tif 000003
【図３】
2015135448.tif 000004
【図１】
2015135448.tif 000005
【図４】
2015135448.tif 000006